(57)【特許請求の範囲】
【請求項１】
直付型照明器具を取付面に取付ける際に器具本体と取付面との間に介在して前記器具本体を安定させる直付用スペーサであって、剛体よりなり前記器具本体の外面に配置される第１の本体と、前記器具本体と前記取付面との間隔に対応して前記第１の本体に移動可能に係止された剛体よりなる第２の本体とを備え、前記第１の本体と前記器具本体との間および前記第２の本体と前記取付面との間の少なくとも一方に弾性部材を圧縮可能に設け、
前記第１の本体と前記第２の本体はその一方が内側筒体で他方が前記内側筒体に嵌合する外側筒体であり、前記内側筒体はその外周面の軸方向に延びかつ前記内側筒体の一端より前記軸方向に先端が突出した突条および前記突条よりも広幅の突条状のガイド片を形成し、前記突条の先端に突出爪部を有し、前記ガイド片の先端の外側に突起を設け、
前記外側筒体はその内周面の軸方向に前記突条および前記ガイド片をそれぞれ案内する複数のガイド溝を形成するとともに前記複数のガイド溝を前記内周面の周方向に複数組形成し、前記複数組の前記複数のガイド溝において前記突条が案内される前記ガイド溝は前記突出爪部が当接することにより前記第１の本体と前記第２の本体の嵌合状態の高さを決定する係止段部がそれぞれ形成され、かつ前記係止段部の相互は前記軸方向の位置が異なっており、前記突起は前記ガイド片が案内される前記ガイド溝に摩擦係止する直付用スペーサ。
【請求項２】
直付型照明器具を取付面に取付ける際に器具本体と取付面との間に介在して前記器具本体を安定させる直付用スペーサであって、剛体よりなり前記器具本体の外面に配置される第１の本体と、前記器具本体と前記取付面との間隔に対応して前記第１の本体に移動可能に係止された剛体よりなる第２の本体とを備え、前記第１の本体と前記器具本体との間および前記第２の本体と前記取付面との間の少なくとも一方に弾性部材を圧縮可能に設け、
前記第１の本体と前記第２の本体は一方が筒体で他方が内筒と外筒からなりかつその間に前記筒体を回動可能に挿入する二重筒体であり、前記筒体は軸方向の一端より軸方向外方に突出する第１の突出片を有し、前記第１の突出片の内面に軸方向の突条を形成し、前記筒体の前記二重筒体と反対側に前記筒体の内周面に沿った円弧状板を設けることにより、前記筒体の内周面との間に円弧状スリットを形成し、
前記二重筒体は前記内筒と前記外筒との間の連結部に、周方向に階段状の段部を有して前記第１の突出片の先端が前記段部のいずれかに当接して前記筒体の挿入量を決めるガイド部を形成し、前記第１の突出片の先端が前記段部に当接したときに前記第１の突出片の前記突条が弾性係止する位置決め溝を前記内筒の外周面に形成し、前記内筒の筒体挿入側端部より軸方向外方に突出して前記筒体の前記円弧状スリットに挿通する第２の突出片を有し前記第２の突出片の先端に前記円弧状板の周縁部に係止する仮止め用爪を形成した直付用スペーサ。
【請求項３】
前記第１の本体は前記器具本体外面への位置決め部を備えた請求項１または請求項２記載の直付用スペーサ。
【請求項４】
点灯装置およびランプを備えた器具本体を、取付面に設置した取付具により支持して前記取付面に取付ける直付型照明器具において、請求項１、請求項２または請求項３記載の直付用スペーサを前記器具本体と前記取付面との間にその間隔に対応させて介在したことを特徴とする直付型照明器具。
【請求項５】
前記器具本体の略中央を前記取付具で支持し、複数の直付用スペーサを取付具の中心から略等距離となるように前記器具本体で位置決めして設置した請求項４記載の直付型照明器具。
【発明の詳細な説明】
【０００１】
【発明の属する技術分野】
この発明は、例えば天井に直接取付けるための直付型照明器具に使用する直付用スペーサおよび直付型照明器具に関するものである。
【０００２】
【従来の技術】
天井の例えば２４〜３４ｍｍの高さの竿縁に接続手段を介して器具本体を直付けする直付型照明器具では、天井面と器具本体の上面との間のスペースが大きく、ランプ交換の際や、器具の周辺から垂下するスイッチ引き紐を操作する際に器具本体が揺れるという問題があった。
【０００３】
このため、従来例（例えば、特開平１０−２８３８２８）は、図１８に示すように器具本体１０１と天井面１０２との間に弾性体のスペーサ１００を介在したものや、図１９に示すように器具本体１０１に螺通したねじ１０３の先端を天井面１０２に当接してスペーサとしたものがあった。
【０００４】
これらの図において、１０４は竿縁、１０５は接続手段、１０６はランプ、１０７はグローブである。
【０００５】
【発明が解決しようとする課題】
しかし、前者の従来例は、スペーサ１００の全体が弾性体のため、竿縁１０４の高さが大きい場合に器具本体１０１を安定に支持することができないという問題があった。また竿縁１０４の高さ違いに応じてスペーサ１００の種類が多数必要であるか、あるいは共用すると柔らかすぎてスペーサ機能が不十分になることがあった。
【０００６】
後者の従来例は、剛体のねじ１０３そのものが天井面１０２を押し上げるので天井面１０２を突き破ったり破損させる恐れがあった。またスイッチ操作等の震動でねじが緩むおそれもあった。
【０００７】
したがって、この発明の目的は、器具本体を安定に保持でき、天井面の損傷を防止することができる直付用スペーサおよび直付型照明器具を提供することである。
【０００８】
【課題を解決するための手段】
請求項１記載の直付用スペーサは、直付型照明器具を取付面に取付ける際に器具本体と取付面との間に介在して前記器具本体を安定させる直付用スペーサであって、剛体よりなり前記器具本体の外面に配置される第１の本体と、前記器具本体と前記取付面との間隔に対応して前記第１の本体に移動可能に係止された剛体よりなる第２の本体とを備え、前記第１の本体と前記器具本体との間および前記第２の本体と前記取付面との間の少なくとも一方に弾性部材を圧縮可能に設け、
前記第１の本体と前記第２の本体はその一方が内側筒体で他方が前記内側筒体に嵌合する外側筒体であり、前記内側筒体はその外周面の軸方向に延びかつ前記内側筒体の一端より前記軸方向に先端が突出した突条および前記突条よりも広幅の突条状のガイド片を形成し、前記突条の先端に突出爪部を有し、前記ガイド片の先端の外側に突起を設け、
前記外側筒体はその内周面の軸方向に前記突条および前記ガイド片をそれぞれ案内する複数のガイド溝を形成するとともに前記複数のガイド溝を前記内周面の周方向に複数組形成し、前記複数組の前記複数のガイド溝において前記突条が案内される前記ガイド溝は前記突出爪部が当接することにより前記第１の本体と前記第２の本体の嵌合状態の高さを決定する係止段部がそれぞれ形成され、かつ前記係止段部の相互は前記軸方向の位置が異なっており、前記突起は前記ガイド片が案内される前記ガイド溝に摩擦係止するものである。
【０００９】
請求項１記載の直付用スペーサによれば、第１の本体と第２の本体の組み合わせ状態の長さが、天井面と器具本体の外面との間の間隔にほぼ合うように粗調整し、弾性部材により微調整することができるので、従来例と比較して、スペーサ機能が確実であり、かつ天井の傷付けも防止することができる。またスペーサが高さ調整機能を有するので器具のがたつきを抑制することができ、竿縁の高さ違いに対応することができるので、器具本体の汎用性をもたせることができる。
【００１０】
請求項２記載の直付用スペーサは、直付型照明器具を取付面に取付ける際に器具本体と取付面との間に介在して前記器具本体を安定させる直付用スペーサであって、剛体よりなり前記器具本体の外面に配置される第１の本体と、前記器具本体と前記取付面との間隔に対応して前記第１の本体に移動可能に係止された剛体よりなる第２の本体とを備え、前記第１の本体と前記器具本体との間および前記第２の本体と前記取付面との間の少なくとも一方に弾性部材を圧縮可能に設け、
前記第１の本体と前記第２の本体は一方が筒体で他方が内筒と外筒からなりかつその間に前記筒体を回動可能に挿入する二重筒体であり、前記筒体は軸方向の一端より軸方向外方に突出する第１の突出片を有し、前記第１の突出片の内面に軸方向の突条を形成し、前記筒体の前記二重筒体と反対側に前記筒体の内周面に沿った円弧状板を設けることにより、前記筒体の内周面との間に円弧状スリットを形成し、
前記二重筒体は前記内筒と前記外筒との間の連結部に、周方向に階段状の段部を有して前記第１の突出片の先端が前記段部のいずれかに当接して前記筒体の挿入量を決めるガイド部を形成し、前記第１の突出片の先端が前記段部に当接したときに前記第１の突出片の前記突条が弾性係止する位置決め溝を前記内筒の外周面に形成し、前記内筒の筒体挿入側端部より軸方向外方に突出して前記筒体の前記円弧状スリットに挿通する第２の突出片を有し前記第２の突出片の先端に前記円弧状板の周縁部に係止する仮止め用爪を形成したものである。
【００１１】
請求項２記載の直付用スペーサによれば、請求項１と同様な効果がある。
【００１８】
請求項３記載の直付用スペーサは、請求項１または請求項２において、前記第１の本体が前記器具本体外面への位置決め部を備えたものである。
【００１９】
請求項３記載の直付用スペーサによれば、請求項１または請求項２と同様な効果のほか、第１の本体を器具本体の所定位置に取付け容易になる。
【００２０】
請求項４記載の直付型照明器具は、点灯装置およびランプを備えた器具本体を、取付面に設置した取付具により支持して前記取付面に取付ける直付型照明器具において、請求項１、請求項２または請求項３記載の直付用スペーサを前記器具本体と前記取付面との間にその間隔に対応させて介在したことを特徴とするものである。
【００２１】
請求項４記載の直付型照明器具によれば、請求項１、請求項２または請求項３と同様な効果がある。
【００２２】
請求項５記載の直付型照明器具は、請求項４において、前記器具本体の略中央を前記取付具で支持し、複数の直付用スペーサを取付具の中心から略等距離となるように前記器具本体で位置決めして設置したものである。
【００２３】
請求項５記載の直付型照明器具によれば、請求項４と同様な効果のほか、器具に取付けるとき、直付用スペーサの位置決めが容易にでき、丸形や角型等の器具本体の形状にかかわらず器具中心からスペーサの距離を一定に保つことができる。
【００２４】
【発明の実施の形態】
この発明の第１の実施の形態を図１から図１１により説明する。すなわち、この直付用スペーサ１は、直付型照明器具を取付面に取付ける際に器具本体２と取付面３との間に介在して器具本体２の取付けを安定させるものである。
【００２５】
器具本体２は、実施の形態において略円板形であり、上面が凹溝となり下面が突条となるリブを形成するリング部４を有し、器具本体２の略中央が取付具５で支持されている。取付具５は竿縁７に設けた配線器具等、例えば引掛シーリングボディ６ａと、これに引っ掛けるアダプタ６ｂと、器具本体２に設けられてアダプタ６ｂに係脱自在に係止するホルダ８からなる。器具本体２のリング部４に本体カバー９が取付けられ本体カバー９の内側に点灯装置（図示せず）およびホルダ１０が設けられ、本体カバー９よりランプソケット（図示せず）が露出し、ランプソケットに接続されるランプ１２および豆ランプ１３は本体カバー９の外面に配設される。１４は器具本体２の側縁部から外方に張出したスイッチレバー、１５はその引き紐、１６は本体パッキンである。また器具本体２はその両側が木ねじ１７で竿縁７にねじ込まれてがたつきを防止している。なお、器具本体２は図３（ａ）に示すように四角形平板でもよい。またグローブを図示省略している。直付用スペーサは、図４に示すように第１の本体２０と、第２の本体２１と、弾性部材２２を有する。
【００２６】
第１の本体２０は、剛体よりなり器具本体２の外面に配置される。実施の形態では第１の本体２０がＡＢＳ樹脂製の有底円筒形であり、器具本体２の外面への位置決め部２３を備え、複数の直付用スペーサ１を取付具５の中心から略等距離となるように器具本体２のリング部４で位置決めして設置している。この位置決め部２３は外底面の周縁部より軸方向に突出してリング部４の溝縁に係止する円弧状の突片としている。また第１の本体２０の外底面に例えば剥離紙付き粘着剤２４を設けておき、器具本体２に貼付するなどにより取付けている。
【００２７】
一方第１の本体２０の取付方向の端部より複数の突出爪部２５を突出している。実施の形態では、ガイド片２６と２本の突出爪部２５を第１の本体２０の円周方向に均等の間隔で軸方向に突出し、かつそれぞれ第１の本体２０の外周面上の軸方向にガイド片２６および突出爪部２５に連続して突条を設けている。ガイド片２６は位置決め部２３と軸方向が一致する位置に設け、その突条部分は位置決め部２３の外面上に行き渡っている。ガイド片２６の突条の外面に軸方向に溝２７を形成し、ガイド片２６の先端の外面に爪状の突起２８を形成し、ガイド片２６の両側の縁部に弾性を付与するための切込み２９を形成している。ガイド片２６の突起２８が第２の本体２１の内周面に弾性的に当接し摩擦係止することにより器具取付時に不用意に外れることが防止できる。突出爪部２５とガイド片２６の各内面にこれらの肉厚を第１の本体２０の肉厚とほぼ等しくするための軸方向の溝２５′、２６′を形成している。またガイド片２６の幅は誤挿入防止のため、突出爪部２５の幅よりも大きくしている。
【００２８】
第２の本体２１は、剛体よりなり器具本体２と取付面３との間隔に対応して移動可能に第１の本体２０に係止される。第１の本体２０と第２の本体２１とは、互いに位置関係を変えて係止可能にされるもので、周方向の互いの位置関係を変えることで器具本体２と取付面３との間隔方向の互いの位置関係を変更可能となる関係にしている。すなわち、第２の本体２１には突出爪部２５の先端面がそれぞれ当接する係止段部３０ａ、３０ｂを有し、これら係止段部３０ａ、３０ｂを器具本体２と取付面３との間隔方向に関し複数の位置関係に形成するように、段部高さを異ならせている。実施の形態の第２の本体２１は、ＡＢＳ樹脂製であり、図１０（ｂ）に示すように突出爪部２５を案内するガイド溝３１ａ〜３１ｃを各突出爪部２５ごとに３つ並べて内周面に形成し、各係止段部３０ａ、３０ｂはそれぞれ２つのガイド溝３１ａ、３１ｂの各底部に高さを異ならせて、すなわち係止段部３０ａが高く、係止段部３０ｂが低くなるように形成している。また第２の本体２１の内周面にガイド片２６を案内するガイド溝３２ａ〜３２ｃも形成している。ガイド片２６が通る溝３２ａ〜３２ｃの底部は貫通穴３３を設けている。第２の本体２１の外周面にはガイド片２６の挿入される位置に位置決め用のＶ溝３５ａ〜３５ｃを刻印して表示部として分かりやすくしている。ガイド片２６は突出爪部２５より幅が広いのでガイド溝３１ａ〜３１ｃには挿入できず、したがって表示部があることにより挿入しやすくなる。３４ａ、３４ｂはガイド溝３２ａ、３２ｂの底面側に設けられ、係止段部３０ａ、３０ｂの高さにそれぞれ等しく形成された突起片であり、突出爪部２５が係止段部３０ａに当接するときガイド片２６が突起片３４ａに当接し、突出爪部２５が係止段部３０ｂに当接するときガイド片２６が突起片３４ｂに当接する。
【００２９】
係止段部３０ａ、３０ｂの高さは、竿縁７の高さに応じて決定し、例えば竿縁７の高さが３１〜３４ｍｍの場合に対応して係止段部３０ａの高さを決め、竿縁７の高さが２７〜３１ｍｍ未満に対応して係止段部３０ｂの高さを決め、竿縁７の高さ２４〜２７ｍｍに対応してガイド溝３１ｃの係止段部のないものとしている。
【００３０】
弾性部材２２は、第２の本体２１と取付面３との間に圧縮可能に設けている。実施の形態では例えば発泡ゴムなどのパッキンなどを用い、両面粘着テープ等の接着剤で接着するなどにより取付けている。
【００３１】
また、器具本体２を取付面３に設置した取付具５により支持して取付面３に取付ける場合に、直付用スペーサ１により、器具本体２と取付面３との間にその間隔に対応させて介在した直付型照明器具が得られる。
【００３２】
この照明器具の取付手順は、竿縁７の高さに合わせて第２の本体２１を第１の本体２０に対して高さ調整する。例えば竿縁７の高さが２７〜３１ｍｍの場合、図５（ｂ）および図６に示すように第１の本体２０の溝２７をＶ溝３５ｂに合うように第１の本体２０を第２の本体２１に嵌合し、ガイド片２６の弾性による摩擦に抗して押し込み、突出爪部２５の先端を係止段部３０ｂの表面に当接し、これにより高さが決まる。またガイド片２６の弾性により第１の本体２０の突起２８が第２の本体２１の内面に摩擦係止する。竿縁高さが上記と異なる場合は溝２７をＶ溝３５ａまたはＶ溝３５ｃに合わせて第１の本体２０を第２の本体２１に嵌合すると、図５（ｂ）よりも高い図５（ａ）の高さ、または図５（ｂ）よりも低い図５（ｃ）の高さとなる。
【００３３】
図１１に示すように器具本体２の上面のリング部４の溝に第１の本体２０の位置決め部２３を引掛けるように直付用スペーサ１の第１の本体２０を粘着テープで取付ける。器具本体２を竿縁７の配線器具にアダプタを介して取付け、図３に示すように木ねじ１７を器具本体２に通して竿縁７にねじ込み器具本体２を竿縁７に固定する。
【００３４】
第１の実施の形態によれば、第１の本体２０が第２の本体２１の中に入る構造のため、照明器具を天井に取付後でも外観を損なわない。第１の本体２０と第２の本体２１にそれぞれ溝２７およびＶ溝３５ａ〜３５ｃを設けているので嵌合後、正しい位置にあるか確認しやすい。また第１の本体２０が第２の本体２１の中に入る構造とすると、第２の本体２１に弾性部材２２を設けていないとき、第１の本体２０の内部にあったガイド片２６が貫通孔３３の外部に見えてくるので挿入後の高さ関係が一目でわかるようになり、刻印等の目印をなくすことができる。
【００３５】
高さ調整用のＶ溝３５ａ〜３５ｃを外面に設けることで容易に差し込み位置がわかる。第２の本体２１の第１の本体２０との接触部に高さ違いで係止段部３１ａ、３１ｂを第２の本体２１に設けたので、第１の本体２０の差し込み位置が変わっても常に３点支持で底当てできる状態が保てる。
【００３６】
ガイド片２６の突出部２８は摩擦係止用の爪として、第２の本体２１との嵌合後器具本体１の天井取付けまでの作業時に容易に外れてしまうことを防いでいる。また２つの突出爪部２５とガイド片２６の幅の大きさを変えたことで一定の位置以外で嵌合できない構造となっている。さらにガイド片２６の本体付根部の両サイドに切込み２９を設けたことでガイド片２６に柔軟性と弾性をもたせることができ、誤挿入時の取外しができるようになり、取外しやすくなる。第１の本体２０の底面に位置決め部２３を設けたことで、器具本体２への取付時に位置決めができるようになった。さらにリング部４により、本体カバー９の取付けのガイドとなり、また器具本体２の強度アップとなり、さらに直付用スペーサ１の位置決めとなる。
【００３７】
この発明の第２の実施の形態を図１２から図１６により説明する。直付用スペーサ１の第１の本体２０と第２の本体２１とは、互いに周方向に回転可能に係止され、周方向の互いの位置関係を変えることで器具本体と取付面との間隔方向に関し複数の位置関係を維持可能としている。器具本体２は第１の実施の形態と同様である。
【００３８】
実施の形態において、第１の本体２０および第２の本体２１はＡＢＳ樹脂製の円筒形であり、第１の本体２０は一端に器具本体への取付手段として例えば粘着テープを設け、他端の周縁部より軸方向に突出し周方向に所定の幅をもつ複数の突出片４０を第１の本体２０の周方向に均等の位置に設けている。突出片４０の内面にはそれぞれ軸方向の突条４１をリブ形成している。また第１の本体２０の内部の中心部５７と、内周面を３等分する部分とを一体に結ぶ３本の支持体４２を設け、一対の支持体４２間に第１の本体２０に同心に円弧状板４３を形成し、円弧状板４３の周縁と第１の本体２０の内周面との間に所定幅の円弧状スリット４４を形成している。突出片４０は第１の本体２０の径方向に弾性を付与するため付根部の両側に切込みを設けてもよい。
【００３９】
第２の本体２１は、二重筒形であり、内筒４６と外筒４７との間の連結部４８を図１４に示すように３段の段部４９ａ〜４９ｃからなる階段状のガイド部５０で形成され、段部４９ａ〜４９ｃの相互間の案内部５６ａ、５６ｂは傾斜している。内筒４６と外筒４７との間に第１の本体２０が嵌合できるように寸法が定められ、第１の本体２０の各突出片４０の先端がガイド部５０の表面に当接し、ガイド部５０の段部４９ａ〜４９ｃの高さにより挿入量が決められる。またガイド部５０の各段部４９ａ〜４９ｃに対して突条４１を弾性係止して位置決めできるように内筒４６の外周面に位置決め溝５１ａ〜５１ｃが形成されている。内筒４６の先端部には周方向の均等の複数個所例えば３個所に第１の本体２０の内側に係合する突出片５２を設け、１つの突出片５２は第１の段部４９ａの溝５１ａのある位置に設けて溝５１ａに連続する溝を形成している。突出片５２のうち円弧状スリット４４に挿入するものは円弧状板４３の周縁部にスライド自在に係止する仮止め用爪５３を形成している。
【００４０】
弾性部材２２は第２の本体２１の端部外面に設けている。
【００４１】
この実施の形態によれば、第１の本体２０と第２の本体２１は挿入後回転することによって高さを調整することができる。第２の本体２１の内部の段部４９ａ〜４９ｃの相互間のガイド部５６ａ、５６ｂをスロープにすることで第１の本体２０と第２の本体２１を取外して分離しなくても相互に回転することで高さを調整することができ、しかも回転容易になる。また図１４に示すように本体の内部に回転止め突条５５をリブ形成することで必要以上に回ることがなくなる。第２の本体２１の突出片５２の内側に仮止め用爪５３を設けることで挿入後容易に抜けるのを防止することができる。回転による位置決めを位置決め溝５１ａ〜５１ｃと突条４１とで容易にすることができる。また突条４１が内筒４６の外周面に接触するので回転時に第１の本体２０の全周で接触するのと比較して３点接触のため摩擦抵抗を減らすことができる。さらに外筒４７を設けたため、外観を良くすることができる。
【００４２】
この発明の第３の実施の形態を図１７により説明する。第１の本体２０と第２の本体２１とは、互いに螺合されて互いの位置関係を変更可能としている。実施の形態では、第１の本体２０は金属製であり、例えば円板形の取付板６０と、取付板６０の中心に立設したねじ部６１からなっている。第１の本体２０は例えば粘着テープ等の取付手段により器具本体２に取付けられる。
【００４３】
第２の本体２１は、ねじ部６１が螺合されるねじ孔部６２を形成した円柱または円筒形であり、第２の本体２１の端部にパッキン等の弾性部材２２を設けている。
【００４４】
この実施の形態によれば、第１の本体２０と第２の本体２１をねじ式に組み合わせることによって高さを調節するため、自在に高さの変更ができ、直付用スペーサ１に用いる弾性部材２２を薄くすることができ、これによって器具のがたつきを小さくすることができる。またねじ部６１の径を大きくし第１の本体２０の全体をねじ構造とすることも可能である。
【００４５】
なお、この発明において、第２の本体２１の弾性部材２２をそのまままたは除去して、第１の本体２０と器具本体２との間に弾性部材を設けてもよい。また高さ調整可能な構成であるので、第１の本体２０が第２の本体２１の構造を有し、第２の本体２１が第１の本体２０の構造を有してもよい。さらに第１の実施の形態において、複数の係止段部３０ａ、３０ｂの高さを相互に異ならせたが、複数の突出爪部２５の突出量も相互に異ならせるようにしたり、あるいは係止段部３０ａ、３０ｂは同じ高さにしておき複数の突出爪部２５の突出量を相互に異ならせてもよい。
【００４６】
【発明の効果】
請求項１記載の直付用スペーサによれば、第１の本体と第２の本体の組み合わせ状態の長さが、天井面と器具本体の外面との間の間隔にほぼ合うように粗調整し、弾性部材により微調整することができるので、従来例と比較して、スペーサ機能が確実であり、かつ天井の傷付けも防止することができる。またスペーサが高さ調整機能を有するので器具のがたつきを抑制することができ、竿縁の高さ違いに対応することができるので、器具本体の汎用性をもたせることができる。
【００４７】
請求項２記載の直付用スペーサによれば、請求項１と同様な効果がある。
【００５１】
請求項３記載の直付用スペーサによれば、請求項１または請求項２と同様な効果のほか、第１の本体を器具本体の所定位置に取付け容易になる。
【００５２】
請求項４記載の直付型照明器具によれば、請求項１、請求項２または請求項３と同様な効果がある。
【００５３】
請求項５記載の直付型照明器具によれば、請求項４と同様な効果のほか、器具に取付けるとき、直付用スペーサの位置決めが容易にでき、丸形や角型等の器具本体の形状にかかわらず器具中心からスペーサの距離を一定に保つことができる。
【図面の簡単な説明】
【図１】この発明の第１の実施の形態の半断面側面図である。
【図２】一部拡大断面図である。
【図３】照明器具の天井取付状態の平面図である。
【図４】直付用スペーサの分解斜視図である。
【図５】直付用スペーサの高さの異なる態様を示す側面図である。
【図６】直付用スペーサの底面図である。
【図７】第１の本体を示し、（ａ）は平面図、（ｂ）は側面図である。
【図８】（ａ）は第１の本体の半断面側面図、（ｂ）は底面図である。
【図９】直付用スペーサの第２の本体を示し、（ａ）は底面図、（ｂ）は側面図、（ｃ）半断面図である。
【図１０】（ａ）は第２の本体の半断面側面図、（ｂ）は平面図である。
【図１１】器具本体の上側部分を概略的に示す斜視図である。
【図１２】第２の実施の形態の側面図である。
【図１３】第１の本体と第２の本体の斜視図である。
【図１４】第２の本体の段部を説明するための斜視図である。
【図１５】（ａ）は第２の本体の半断面図、（ｂ）は底面図、（ｃ）は平面図である。
【図１６】（ａ）は第１の本体の平面図、（ｂ）はその半断面図、（ｃ）は底面図である。
【図１７】第３の実施の形態の分解斜視図である。
【図１８】第１の従来例の断面図である。
【図１９】第２の従来例の断面図である。
【符号の説明】
１    直付用スペーサ
２    器具本体
３    取付面
４    リング部
７    竿縁
２０    第１の本体
２１    第２の本体
２２    弾性部材
２３    位置決め部
２４    粘着剤
２５    突出爪部
２６    ガイド片
２７    溝
２８    突起
２９    切込み
３０ａ、３０ｂ    係止段部
３１ａ〜３１ｂ    ガイド溝
３２ａ〜３２ｂ    ガイド溝
３５ａ〜３５ｃ    Ｖ溝
４０    突出片
４１    突条
４４    円弧状スリット
４９ａ〜４９ｃ    段部
５０    ガイド部
５１ａ〜５１ｂ    位置決め溝
５６ａ、５６ｂ    案内部
６０    取付板
６１    ねじ部
６２    ねじ孔部
【図１】
0004118522.tif 000002
【図２】
0004118522.tif 000003
【図３】
0004118522.tif 000004
【図４】
0004118522.tif 000005
【図５】
0004118522.tif 000006
【図６】
0004118522.tif 000007
【図７】
0004118522.tif 000008
【図８】
0004118522.tif 000009
【図９】
0004118522.tif 000010
【図１０】
0004118522.tif 000011
【図１１】
0004118522.tif 000012
【図１２】
0004118522.tif 000013
【図１３】
0004118522.tif 000014
【図１４】
0004118522.tif 000015
【図１５】
0004118522.tif 000016
【図１６】
0004118522.tif 000017
【図１７】
0004118522.tif 000018
【図１８】
0004118522.tif 000019
【図１９】
0004118522.tif 000020